(57)【要約】【課題】ユーザーが多芯筆記具を最初に購入するとき、好みの筆記体の組合せのものが得られ、しかも、軸筒とそれに適正に対応した筆記体を容易に見つけ出すことができる多芯筆記具陳列装置を提供する。【解決手段】本発明の多芯筆記具陳列装置は、複数本の筆記体６が収容される前の状態の軸筒２を内部に収容した第１の包装袋Ａと、前記軸筒２内に収容される前の状態の筆記体６を内部に収容した複数種の第２の包装袋Ｂと、前記第１の包装袋Ａと前記第２の包装袋Ｂとを近接して吊り下げ状態で陳列する陳列具Ｃとからなる。【選択図】  図１
0003145663.tif 000002
【実用新案登録請求の範囲】
【請求項１】
複数本の筆記体が収容される前の状態の軸筒を内部に収容した第１の包装袋と、前記軸筒内に収容される前の状態の筆記体を内部に収容した複数種の第２の包装袋と、前記第１包装袋と前記第２の包装袋とを近接して吊り下げ状態で陳列する陳列具とからなる多芯筆記具陳列装置。
【請求項２】
前記第１の包装袋に収容された軸筒は、内部に複数のコイルスプリングが収容され、側壁に前後方向に延び且つ径方向に貫通する複数の窓孔が形成され、前端に軸方向に貫通する前端孔が形成されてなり、前記第２の包装袋に収容された筆記体は、内部にインキが収容されたインキ収容管と、該インキ収容管の前端に取り付けられたペン先と、該インキ収容管の後端に取り付けられ且つインキ収容管内のインキの色に着色された操作体とからなり、前記第２の包装袋に収容された状態で前記操作体が外部より視認可能であり、前記軸筒内に前記筆記体の複数本を収容した際、前記各々の筆記体が軸筒内を前後方向に移動可能に収容され、前記コイルスプリングにより前記各々の筆記体が後方に付勢され、前記窓孔から前記各々の筆記体の後端の操作体が径方向外方に突出され、前記窓孔に沿って各々の操作体が前後方向にスライド可能に構成され、一つの操作体を窓孔に沿って前方にスライドさせることにより、その一つの操作体を備える筆記体のペン先を軸筒の前端孔から突出させるとともに、先に突出状態にあった他の筆記体のペン先を軸筒内に没入させる多芯筆記具を構成する請求項１記載の多芯筆記具陳列装置。
【請求項３】
前記第１の包装袋に収容された軸筒が、後端に開閉自在の開口部と、該開口部を開閉自在にする蓋部とを備え、前記開口部を通して筆記体が軸筒内に挿入可能である請求項１または２記載の多芯筆記具陳列装置。
【請求項４】
前記陳列具が、軸筒内に筆記体を組み込む方法が記載された表示面を備える請求項１乃至３のいずれかに記載の多芯筆記具陳列装置。
【請求項５】
前記陳列具が、第１の包装袋及び第２の包装袋が吊り下げ可能な複数のフック部と、陳列具下端に着脱自在に設けられるスタンド部とを備える請求項１乃至４のいずれかに記載の多芯筆記具陳列装置。
【考案の詳細な説明】
【技術分野】
【０００１】
本考案は、多芯筆記具陳列装置に関する。詳細には、軸筒内に複数本の筆記体を収容して使用する多芯筆記具の陳列装置に関する。
【背景技術】
【０００２】
従来の筆記具の陳列装置に関して、特許文献１には、カゴ状体と、該カゴ状体に挿入した複数の商品収納箱とからなる商品陳列装置が開示されているに過ぎない。
【０００３】
【特許文献１】特開平１０−５０８７号公報
【考案の開示】
【考案が解決しようとする課題】
【０００４】
従来の多芯筆記具は、その軸筒内に複数本の筆記体が収容された状態で陳列販売されている。また、従来の多芯筆記具は、筆記体のインキ色やペン先などの種類を多くすると、軸筒内部に収容する複数の筆記体の組合せが膨大な数となり、陳列スペース等の関係から、筆記体の全ての種類を組合せた多数種の多芯筆記具を陳列販売することは困難である。そのため、実際には、限られた種類のインキ色やペン先を有する筆記体のみが陳列され、ユーザーが、多芯筆記具を最初に購入するとき、好みの筆記体の組合せの多芯筆記具を得られないおそれがある。
【０００５】
また、従来の多芯筆記具は、陳列スペース等の関係から、それに対応した交換用の筆記体（いわゆるレフィル）が多芯筆記具から離れて陳列されることがある。その場合、ユーザーが交換用の筆記体を購入する際、商品を容易に見つけ出すことができない。また、従来の多芯筆記具の交換用の筆記体は、各メーカー間でサイズや形状が異なるため、種類も多く、一つの多芯筆記具に適正に対応した交換用の筆記体を見つけることは容易ではない。また、従来の多芯筆記具の筆記体は、インキ色の識別が、ペン先またはペン先保持部材のインキ色に着色された比較的小さな部分により行われるため、ユーザーが店頭で筆記体を購入するとき、所望するインキ色の筆記体を容易に選択できないおそれがある。
【０００６】
本考案は、前記従来の問題点を解決するものであって、ユーザーが多芯筆記具を最初に購入するとき、好みの筆記体の組合せのものが得られ、しかも、軸筒とそれに適正に対応した筆記体を容易に見つけ出すことができる多芯筆記具陳列装置を提供しようとするものである。
【課題を解決するための手段】
【０００７】
［１］本考案の多芯筆記具陳列装置は、複数本の筆記体６が収容される前の状態（即ち複数本の筆記体６が収容されていない状態）の軸筒２を内部に収容した第１の包装袋Ａと、前記軸筒２内に収容される前の状態（即ち軸筒２内に収容されていない状態）の筆記体６を内部に収容した複数種の第２の包装袋Ｂと、前記第１の包装袋Ａと前記第２の包装袋Ｂとを近接して吊り下げ状態で陳列する陳列具Ｃとからなること（請求項１）を要件とする。
【０００８】
前記多芯筆記具陳列装置（請求項１）によれば、ユーザーが多芯筆記具を最初に購入するとき、好みの筆記体６の組合せのものが得られる。もし、軸筒２内に予め筆記体６が収容された状態で陳列される場合、ユーザーが多芯筆記具を最初に購入するとき、好みの組合せの筆記体６が収容された多芯筆記具が店頭に陳列されていないと、好みの筆記体６の組合せのものが得られない。また、前記多芯筆記具陳列装置（請求項１）によれば、軸筒２と筆記体６が近接して陳列されるため、ユーザーが多芯筆記具を最初に購入するとき、軸筒２とそれに適正に対応した筆記体６を、同時に視認し、容易に見つけ出すことができる。
【０００９】
［２］前記多芯筆記具陳列装置において、前記第１の包装袋Ａに収容された軸筒２は、内部に複数のコイルスプリング８が収容され、側壁に前後方向に延び且つ径方向に貫通する複数の窓孔４１が形成され、前端に軸方向に貫通する前端孔３１が形成されてなり、前記第２の包装袋Ｂに収容された筆記体６は、内部にインキが収容されたインキ収容管６２と、該インキ収容管６２の前端に取り付けられたペン先６１と、該インキ収容管６２の後端に取り付けられ且つインキ収容管６２内のインキの色に着色された操作体７とからなり、前記第２の包装袋Ｂに収容された状態で前記操作体７が外部より視認可能であり、前記軸筒２内に前記筆記体６の複数本を収容した際、前記各々の筆記体６が軸筒２内を前後方向に移動可能に収容され、前記コイルスプリング８により前記各々の筆記体６が後方に付勢され、前記窓孔４１から前記各々の筆記体６の後端の操作体７が径方向外方に突出され、前記窓孔４１に沿って各々の操作体７が前後方向にスライド可能に構成され、一つの操作体７を窓孔４１に沿って前方にスライドさせることにより、その一つの操作体７を備える筆記体６のペン先６１を軸筒２の前端孔３１から突出させるとともに、先に突出状態にあった他の筆記体６のペン先６１を軸筒２内に没入させる多芯筆記具を構成すること（請求項２）が好ましい。
【００１０】
前記多芯筆記具陳列装置（請求項２）によれば、筆記体６の各々が、インキ収容管６２内に収容されたインキの色に着色された操作体７を備えるため、インキ収容管６２の後端に比較的大きく突出された操作体７を外部より視認することにより、インキ収容管６２内のインキの色の識別が容易となり、比較的離れた位置からでもインキ色の識別が可能となる。その結果、ユーザーが筆記体６を購入する際、所望するインキ色の筆記体６を迅速に見つけ出すことができる。
【００１１】
［３］前記多芯筆記具陳列装置において、前記第１の包装袋Ａに収容された軸筒２が、後端に開閉自在の開口部４２と、該開口部４２を開閉自在にする蓋部５とを備え、前記開口部４２を通して筆記体６が軸筒２内に挿入可能であること（請求項３）が好ましい。
【００１２】
前記多芯筆記具陳列装置（請求項３）によれば、後端に操作体７を備えた筆記体６を、軸筒２内に開口部４２を通してペン先６１側から挿入できる。その結果、軸筒２内への筆記体６の挿入組立が容易となる。もし、軸筒２の後端に開閉自在の開口部４２を備えず、筆記体６を軸筒２の前方から挿入する場合、後端に操作体７が取り付けられた状態の筆記体６を、軸筒２内に挿入することは容易ではない。
【００１３】
［４］前記多芯筆記具陳列装置において、前記陳列具Ｃが、軸筒２内に筆記体６を組み込む方法が記載された表示面Ｃ４を備えること（請求項４）が好ましい。
【００１４】
前記多芯筆記具陳列装置（請求項４）によれば、ユーザーが、多芯筆記具の購入時、表示面Ｃ４を視認することにより、軸筒２内に筆記体６を組み込む方法を容易に理解することができる。前記軸筒２内に筆記体６を組み込む方法とは、筆記体６の挿入組立の方法や手順であり、例えば、蓋部５の開閉方法、筆記体６の挿入時の向きや挿入箇所等の説明が挙げられる。前記軸筒２内に筆記体６を組み込む方法は、文字、記号、説明図、写真等の記載により表示面Ｃ４に設けられる。
【００１５】
［５］前記多芯筆記具陳列装置において、前記陳列具Ｃが、第１の包装袋Ａ及び第２の包装袋Ｂが吊り下げ可能な複数のフック部Ｃ２と、陳列具Ｃの下端に着脱自在に設けられるスタンド部Ｃ３とを備えること（請求項５）が好ましい。
【００１６】
前記多芯筆記具陳列装置（請求項５）によれば、スタンド部Ｃ３が陳列具Ｃと着脱自在であることにより、スタンド部Ｃ３が取り外された状態の陳列具Ｃを、店頭の壁面や陳列棚等に吊り下げることができる。即ち、前記多芯筆記具陳列装置（請求項５）の陳列具Ｃは、スタンド部Ｃ３が陳列具Ｃ下端に取り付けられた状態の場合、店頭の載置面上に立設状態で載置され、一方、スタンド部Ｃ３が陳列具Ｃ下端から取り外された状態の場合、店頭の壁面や陳列棚等に吊り下げられ、その結果、吊り下げ式と載置式の二通りの陳列形態を得ることができる。
【考案の効果】
【００１７】
請求項１の多芯筆記具陳列装置によれば、ユーザーが多芯筆記具を最初に購入するとき、好みの筆記体の組合せのものが得られ、しかも、軸筒とそれに適正に対応した筆記体を容易に見つけ出すことができる
【００１８】
請求項２の多芯筆記具陳列装置によれば、ユーザーが筆記体を購入する際、所望するインキ色の筆記体を迅速に見つけ出すことができる。
【００１９】
請求項３の多芯筆記具陳列装置によれば、軸筒内への筆記体の挿入組立が容易となる。
【００２０】
請求項４の多芯筆記具陳列装置によれば、ユーザーが、多芯筆記具の購入時、表示面を視認することにより、軸筒内に筆記体を組み込む方法を容易に理解することができる。
【００２１】
請求項５の多芯筆記具陳列装置によれば、陳列具が、吊り下げ式と載置式の二通りの陳列形態を得ることができる。
【考案を実施するための最良の形態】
【００２２】
図１乃至図１１に本考案の実施の形態を示す。
本実施の形態の多芯筆記具陳列装置は、複数本の筆記体６が収容される前の中空状態の軸筒２を内部に収容した第１の包装袋Ａと、前記軸筒２内に収容される前の状態の複数種の筆記体６の各々を内部に収容した複数種の第２の包装袋Ｂと、前記第１包装袋と前記第２の包装袋Ｂとを近接して吊り下げ状態で陳列する陳列具Ｃとからなる。本実施の形態では、軸筒２内に複数本の筆記体６を収容した状態の多芯筆記具（完成品）は、陳列されていない。
【００２３】
（第１の包装袋）
第１の包装袋Ａは、透明材料（透明プラスチックフィルム）よりなり、長方形形状を有する。前記第１の包装袋Ａは、上端に吊下孔Ａ１が形成される。そして、前記第１の包装袋Ａの各々の内部には、多芯筆記具用の１本の軸筒２が収容されている。本実施の形態では、軸筒２は、1種類のみが用意されている。前記第１の包装袋Ａは、フック部Ｃ２の各々に複数が吊り下げられる。
【００２４】
前記第１の包装袋Ａ内に収容状態にある軸筒２は、内部に筆記体６は収容されておらず、軸筒２内は中空状態となっている。また、前記第１の包装袋Ａ内に収容状態にある軸筒２は、内部に複数のコイルスプリング８が収容され、側壁に前後方向に延び且つ径方向に貫通する複数の窓孔４１が形成され、前端に軸方向に貫通する前端孔３１が形成されている。前記コイルスプリング８の前端部は、軸筒２内壁に固着したスプリング支持部により、保持されている。
【００２５】
（第２の包装袋）
第２の包装袋Ｂは、第１の包装袋Ａと同様、透明材料（透明プラスチックフィルム）よりなり、長方形形状を有する。前記第２の包装袋Ｂは、上端に吊下孔Ｂ１が形成される。そして、前記第２の包装袋Ｂの各々の内部には、多芯筆記具用の１本の筆記体６が収容されている。前記第２の包装袋Ｂは、フック部Ｃ２の各々に複数が吊り下げられる。
【００２６】
第２の包装袋Ｂに収容状態にある筆記体６は、内部にインキが収容されたインキ収容管６２と、該インキ収容管６２の前端に取り付けられたたペン先６１と、該インキ収容管６２の後端に取り付けられ且つインキ収容管６２内のインキの色に着色された操作体７とからなる。
【００２７】
本実施の形態では、１０種類のインキ色を用意し、ペン先６１（ボールペンチップ）の種類を２種類（ペン先ボールの外径:０．３ｍｍ、０．４ｍｍ）用意し、その結果、筆記体６の種類を２０種類、用意した。前記各々の筆記体のペン先６１の前端には、ペン先乾燥防止用の被覆樹脂が固着される。前記被覆樹脂は、筆記使用開始時にはユーザーによって取り除かれる。
【００２８】
筆記体６が第２の包装袋Ｂに収容された状態において、インキ色に着色された操作体７の操作部７１が、両面に平面部を備えた板状体からなり、前記平面部を第２の包装袋Ｂの外部正面より視認可能である。それにより、インキ色の識別が離れた位置からでも容易となるとともに、操作体７が収容された部分の第２の包装袋Ｂの厚みが増加するおそれがなく、限られた陳列スペースに筆記体６を収容した多数の第２の包装袋Ｂを重ねた状態で陳列できる。
【００２９】
（陳列具）
本実施の形態の陳列具Ｃは、主に、フレーム部Ｃ１と、フック部Ｃ２と、スタンド部Ｃ３と、表示面Ｃ４とからなる。
【００３０】
前記フレーム部Ｃ１は、上下方向に延びる２本の棒状体と、前記棒状体に両端が固定された左右方向に延びる複数本の棒状体とからなる。
【００３１】
前記フック部Ｃ２は、前記フレーム部Ｃ１の左右方向に延びる棒状体に固定され、正面前方に突出し且つ上下２列に設けられた複数本（１２本）の棒状体よりなる。前記複数のフック部Ｃ２の各々には、第１の包装袋Ａの吊下孔Ａ１または同一種類の第２の包装袋Ｂの吊下孔Ｂ１が貫通され、第１の包装袋Ａまたは第２の包装袋Ｂが吊り下げ状態で陳列される。詳細には、前記上下２列のフック部Ｃ２の左側４本には、第１の包装袋Ａが吊り下げられ、前記上列のフック部Ｃ２の右側１０本には、ペン先ボールの外径が０．３ｍｍであり且つ１０種類のインキ色よりなる１０種類の筆記体６を各々収容した１０種類の第２の包装袋Ｂが吊り下げられ、前記下列のフック部Ｃ２の右側１０本には、ペン先ボールの外径が０．４ｍｍであり且つ１０種類のインキ色よりなる１０種類の筆記体６を各々収容した１０種類の第２の包装袋Ｂが吊り下げられる。その際、前記第１の包装袋Ａと前記第２の包装袋Ｂが近接して吊り下げ状態で陳列され、前記第１の包装袋Ａと前記第２の包装袋Ｂとの間に、本実施の形態の多芯筆記具以外の他の商品は陳列されていない。それにより、前記第１の包装袋Ａと前記第２の包装袋Ｂとを同時に視認でき、軸筒２とそれに対応した筆記体６を容易に見つけることができる。
【００３２】
前記スタンド部Ｃ３は、図５に示すように、コ字状に曲折された管状体からなる。前記スタンド部Ｃ３は、前記フレーム部Ｃ１の下端（上下方向に延びる２本の棒状体の下端）に着脱自在に設けられる。それにより、本実施の形態の陳列具Ｃは、スタンド部Ｃ３が陳列具Ｃの下端に取り付けられた状態の場合（図５参照）、店頭の載置面上に立設状態で載置され、一方、スタンド部Ｃ３が陳列具Ｃの下端から取り外された状態の場合（図６参照）、店頭の壁面や陳列棚等に吊り下げられる。即ち、本実施の形態の陳列具Ｃは、載置式と吊り下げ式の二通りの陳列形態を得ることができる。前記スタンド部Ｃ３を取り外した状態の場合（図６参照）、２個の吊下具Ｃ５を、フレーム部Ｃ１の裏面の左右方向に延びる棒状体に固定し、前記陳列具Ｃを店頭の壁面や陳列棚等に引っ掛け、それにより、陳列具Ｃを吊り下げ状態にする。
【００３３】
前記表示面Ｃ４は、フレーム部Ｃ１の上端に設けられる。前記表示面Ｃ４には、軸筒２内に筆記体６を組み込む方法（即ち筆記体６の軸筒２内への挿入組立方法や手順）が、文字、説明図、または写真等により記載されている。前記表示面Ｃ４の両端は、フレーム部Ｃ１の左右方向の両端に位置している。そのため、前記表示面Ｃ４は、前記複数のフック部Ｃ２の全ての上方に位置している。即ち、前記第１の包装袋Ａ及び前記第２の包装袋Ｂを吊り下げるフック部Ｃ２の存在する領域の上方に、前記表示面Ｃ４が配置され、前記第１の包装袋Ａ及び前記第２の包装袋Ｂを、関係する商品として容易に識別できる。
【００３４】
尚、本実施の形態において、前記フレーム部Ｃ１を構成する棒状体、前記フック部Ｃ２を構成する棒状体、及び前記スタンド部Ｃ３を構成する管状体は、全て金属製であるが、これ以外にも、合成樹脂製でもよい。
【００３５】
（多芯筆記具）
次に本実施の形態の多芯筆記具１を説明する。（図７乃至図１１参照）
本実施の形態の多芯筆記具１は、軸筒２内に複数本（具体的には２本）の筆記体６が前後方向に移動可能に収容される。前記軸筒２内には、前記筆記体６の本数に対応した複数（具体的には２個）のコイルスプリング８が収容される。前記各々の筆記体６は、前記各々のコイルスプリング８により、後方に付勢されている。
【００３６】
（コイルスプリング）
前記コイルスプリング８は、具体的には圧縮コイルスプリングである。前記コイルスプリング８の前端部には、密着巻部８１が形成される。また、前記コイルスプリング８の後端部には、密着巻部８２が形成される。
【００３７】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００３８】
前記後軸４の後部の側壁には、複数本（具体的には２本）の前後方向に延びる細長状の窓孔４１が、径方向に貫設される。前記２本の窓孔４１は、互いに、軸線に対して対称の位置（１８０度対称位置）に形成される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれて後方に開口されている。一方、前記窓孔４１の前端は常時閉鎖されている。
【００３９】
また、前記後軸４の窓孔４１の相互間の側壁内面には、前後方向に延びるリブよりなる係止壁部４３が一体に形成され、前記係止壁部４３に、ペン先６１が突出した際の筆記体６の操作体７の後端が係止される。
【００４０】
（隔壁）
また、前記軸筒２の内壁（即ち後軸４の内壁）には、前後方向に延び且つ径方向内方に突出する２本のリブよりなる隔壁４４が、軸線に対して対称位置に一体に形成される。前記隔壁４４は、前記係止壁部４３の相互間に形成されるとともに、その前端が、スプリング支持部９の後方且つ窓孔４１の前方に位置される。即ち、隔壁４４の前端は、スプリング収容部２１内に位置され、少なくとも、フリー状態のコイルスプリング８の後端より前方に位置される。
【００４１】
前記後軸４の窓孔４１の相互間の側壁外面には、クリップ４５が設けられる。
【００４２】
（スプリング支持部）
軸筒２の内壁（即ち後軸４の内壁）には、円筒状のスプリング支持部９が固着される。前記スプリング支持部９は、筆記体６が挿通される複数（具体的には２個）の内孔９１が軸方向に貫設されている。前記スプリング支持部９の後面と、各々の操作体７の鍔部７５の前面との間には、コイルスプリング８が配置される。前記各々のコイルスプリング８の内部に筆記体６（即ちインキ収容管６２）が遊挿されるとともに、各々のコイルスプリング８の前端はスプリング支持部９の後面により係止され、各々のコイルスプリング８の後端は操作体７の鍔部７５の前面に係止される。尚、前記スプリング支持部９は、軸筒２内壁に一体に形成されてもよい。
【００４３】
また、前記スプリング支持部９の後面の各々の内孔９１の周囲には、周状壁部よりなる保持部９２が形成される。前記各々の保持部９２の内面には、各々のコイルスプリング８の前端部（即ち密着巻部８１）外面が圧入保持される。即ち、各々の保持部９２により各々のコイルスプリング８の前端部（即ち密着巻部８１）が径方向内方に保持される。それにより、各々の筆記体６及び操作体７を交換する際、軸筒２内から開口部４２を通して各々のコイルスプリング８が脱落することを防止できる。
【００４４】
本実施の形態において、筆記体６及び操作体７を交換するとき以外は、前記各々のコイルスプリング８が、各々の操作体７（即ち各々の筆記体６）を後方に付勢している。前記各々のコイルスプリング８は、ペン先突出状態及びペン先没入状態のいずれにおいても圧縮状態（即ち筆記体６が後方に付勢された状態）にあり、それにより、各々の操作体７の前後のがたつきが防止される。
【００４５】
（スプリング収容部）
前記スプリング支持部９の後方の軸筒２内（即ち後軸４内）には、複数（具体的には２個）のスプリング収容部２１が形成される。前記スプリング収容部２１の相互間には前記隔壁４４が配置される。本実施の形態では、前記隔壁４４は、１８０度対称位置より径方向内方に突出される２本のリブからなる。前記スプリング収容部２１には、非圧縮状態（即ち後端部がフリーな状態）のコイルスプリング８が収容される。
【００４６】
図１０及び図１１に示すように、筆記体６及び操作体７を軸筒２内から取り外した状態のとき、軸筒２内において、コイルスプリング８の後端部がフリーな状態となり、一方、コイルスプリング８の前端部がスプリング支持部９の保持部９２により保持されている。このとき、コイルスプリング８の後端部の密着巻部８２の後端が、窓孔４１の前端より後方に位置するとともに、コイルスプリング８の後端部の密着巻部８２の前端が、窓孔４１の前端より前方に位置している。それにより、コイルスプリング８の後端部の密着巻部８２が窓孔４１を通して外部より視認可能となるととともに、コイルスプリング８の密着巻部８２の前方部分が窓孔４１からは露出していない状態となる。
【００４７】
（蓋部）
前記後軸４の後端部には、前記開口部４２を開閉自在にする蓋部５が回動自在に設けられる。前記蓋部５の一端部は、クリップ基部に、ヒンジ部５２により回動自在に接続される。前記ヒンジ部５２は、ペン先下向きでクリップ４５を正面視したときのクリップ４５の左右方向に延設され、それにより、前記蓋部５は、略前後方向に回動自在となる。前記蓋部５の前面には、当接壁部５１が形成される。前記当接壁部５１に、没入状態の筆記体６の後端に連結された各々の操作体７の後端が、衝止される。
【００４８】
前記蓋部５の他端部の前面には、係合部５３が設けられる（具体的には係合凹部または係合孔部が形成される）。後軸４の後端には、前記係合部５３と係合可能な被係合部４６が設けられる（具体的には係合凸部が突設される）。前記係合部５３（係合凹部または係合孔部）の内面には、内向突起が形成され、一方、前記被係合部４６（係合凸部）の外面には、前記内向突起と乗り越え係止可能な外向突起が形成される。
【００４９】
前記係合部５３と前記被係合部４６とは、蓋部５が開口部４２を閉鎖した際、互いに係合状態にあり（具体的には内向突起と外向突起が乗り越え係止状態にあり）、コイルスプリング８の後方への付勢による操作体７と蓋部５前面の当接壁部５１との当接では、その係合状態は解除されず、蓋部５が開くことはない。
【００５０】
また、前記係合部５３と被係合部４６の構成以外にも、前記係合部５３が係合凸部よりなり、前記被係合部４６が係合凹部または係合孔部からなる構成でもよい。
【００５１】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。本実施の形態では、前記インキは染料インキが採用されている。
【００５２】
また、前記ボールペンチップは、前端に回転可能に抱持されたボールをコイルスプリング等により前方に付勢し、前端縁部の内面にボールを密接させる構成でもよい。また、ボールペンチップは、インキ収容管６２の前端開口部に圧入等により直接、取り付けてもよいが、本実施の形態ではペン先ホルダーを介してインキ収容管６２の前端開口部に固着される。本実施の形態では、ボールの外径が０．３ｍｍと０．４ｍｍのものが採用されている。
【００５３】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる後側突出部７３と、該操作部７１の反対側の後側突出部７３の前方に設けられる前側突出部７２と、前端部に形成され且つインキ収容管６２の後端開口部に嵌入される嵌入部７４と、該嵌入部７４の後方に形成される鍔部７５とを備える。前記嵌入部７４は、インキ収容管６２の後端開口部に嵌入された際、インキ収容管６２の後端開口部を完全には塞がず、インキ収容管６２の内部と外部とを通気可能にする。また、前記鍔部７５の前面には、コイルスプリング８の後端が係止される。また、前記操作体７の操作部７１は、両面に平面部を備えた板状体からなる。
【００５４】
筆記体６のペン先６１が没入状態のとき、その筆記体６に取り付けられた操作体７の後端部は、蓋部５の前面に形成された当接壁部５１に衝止される。一方、筆記体６のペン先６１が突出状態のとき、その筆記体６に取り付けられた操作体７の後端部は、軸筒２の内壁に形成された係止壁部４３に係止される。
【００５５】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００５６】
（識別表示）
前記各々の操作体７は、連結される筆記体６の内部（即ちインキ収容管６２内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。例えば、インキ色が黒色の筆記体６に連結する操作体７は黒色に着色され、インキ色が青色の筆記体６に連結する操作体７は青色に着色され、インキ色が赤色の筆記体６に連結する操作体７は赤色に着色され、インキ色が緑色の筆記体６に連結する操作体７は緑色に着色される。本実施の形態では、インキ色の互いに異なる２本の筆記体６を軸筒２内に収容している。
【００５７】
特に、インキ収容管６２が不透明材料からなる構成の場合またはインキ収容管６２が透明材料からなるとともに内部のインキが染料インキである構成の場合、内部のインキを外部より視認することが困難であるが、操作体７をインキの色と略同じ色に着色したことが有効に作用し、軸筒２外部に存在する交換前の筆記体６において、内部のインキ色を外部より容易に識別できる。本実施の形態では、インキ収容管６２は透明材料から構成される。
【００５８】
また、各々の筆記体６がペン先６１のボールのサイズが互いに異なるボールペンの場合、ペン先６１のボールの外径寸法を表す数字よりなる識別表示を、操作体７の操作部７１に設けることが好ましい。また、各々の筆記体６がペン先６１の形状が互いに異なる筆記具の場合、ペン先６１の形状に対応した識別表示を、操作体７の操作部７１に設けることが好ましい。また、前記ペン先６１のボールの外径寸法を表す数字からなる識別表示、及びペン先６１の形状に対応した識別表示は、前記インキ色に着色された操作体７の操作部７１に設けることもできる。前記識別表示は、印刷、シール貼付、凸設、凹設等の手段により、操作体７に設けられる。
【００５９】
（ペン先の出没）
本実施の形態におけるペン先６１の出没作動について説明する（図７及び図８参照）。
一つの操作体７の操作部７１をコイルスプリング８の後方付勢に抗して窓孔４１に沿って前方にスライド操作すると、そのスライド操作された操作体７の前側突出部７２が、先に突出状態にある他の筆記体６の操作体７の後側突出部７３を径方向外方に持ち上げる。それにより、軸筒２内壁の係止壁部４３と操作体７との係止状態が解除され、他の筆記体６がコイルスプリング８の後方付勢により後方に移動され、他の筆記体６のペン先６１が軸筒２内に没入され、他の筆記体６の操作体７の後端が蓋部５の前面の当接壁部５１に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部４３に係止され、そのペン先突出状態が維持される。
【００６０】
（筆記体及び操作体の交換）
本実施の形態における筆記体６及び操作体７の交換について説明する。
筆記体６を交換する際、蓋部５が軸筒２の後端の開口部４２を閉鎖した状態（図７参照）から、蓋部５のヒンジ部５２と反対側の操作端部を後方に押圧し、係合部５３と被係合部４６との係合を解除し、蓋部５を後方に回動させ、軸筒２の後端の開口部４２を開口する。前記開口部４２を開口させると、前記開口部４２から各々の操作体７が、コイルスプリング８の後方付勢により後方外部に突出される。前記軸筒２の後端の開口部４２が開口した状態（図９参照）で、操作体７を取り出すことにより、その操作体７と互いに連結状態にある筆記体６を、前記開口部４２を通して軸筒２内から取り出す。その後、互いに連結状態にある新たな筆記体６と新たな操作体７とを前記開口部４２を通して軸筒２内に挿入する。そして、蓋部５の当接壁部５１に各々の操作体７を当接させ、各々の操作体７を前方に押圧しながら蓋部５を前方に回動させ、その後、係合部５３と被係止部４５とを係合させ、開口部４２を閉鎖する。これにより、筆記体６及び操作体７の交換作業が終了する。
【００６１】
（挿入時のコイルスプリング）
本実施の形態の多芯筆記具１の組立工程において、複数のコイルスプリング８を軸筒２内に挿入した際、前記隔壁４４により、軸筒２内でコイルスプリング８同士が絡み合うことがない。
【００６２】
（筆記具及び操作体の交換時のコイルスプリング）
また、図１０及び図１１に示すように、本実施の形態の多芯筆記具１の筆記具及び操作体７の交換時において、互いに連結状態の筆記体６及び操作体７を軸筒２後端の開口部４２を通して軸筒２内から取り外すと、軸筒２内において、コイルスプリング８の後端部がフリーな状態となる。一方、このとき、コイルスプリング８の前端部がスプリング支持部９の保持部９２により保持されている。このとき、コイルスプリング８の後端部の密着巻部８２が窓孔４１を通して外部より視認可能となるととともに、コイルスプリング８の密着巻部８２の前方部分が窓孔４１からは露出していない。それにより、互いに連結状態の新たな筆記体６及び操作体７を後軸４後端の開口部４２より挿入し、筆記体６のペン先６１をコイルスプリング８内部に挿入する際、筆記体６のペン先６１がコイルスプリング８内部に挿入される状態を目視により確認しながら筆記体６を適正にコイルスプリング８内部に挿入でき、筆記体６のペン先６１を、誤って密着巻部８２の前方の線材間に差し込むことを、確実に回避できる。
【００６３】
その上、本実施の形態の多芯筆記具１は、互いに連結状態の新たな筆記体６及び操作体７を後軸４後端の開口部４２より挿入し、筆記体６の前端をコイルスプリング８内部に挿入する際、誤って筆記体６のペン先６１をコイルスプリング８後端に当接させ、コイルスプリング８を径方向に変形させても、隔壁４４により、コイルスプリング８同士が互いに接触することを回避できる。その結果、コイルスプリング８同士が絡み合うおそれがなく、筆記体６をコイルスプリング8内部に円滑且つ適正に挿入できる。
【図面の簡単な説明】
【００６４】
【図１】本考案の多芯筆記具陳列装置の実施の形態を示す正面図である。
【図２】図１の側面図である。
【図３】図１の第１の包装袋を示す正面図である。
【図４】図１の第２の包装袋を示す正面図である。
【図５】図１の陳列具の載置状態を示す斜視図である。
【図６】図１の陳列具の吊り下げ状態を示す斜視図、及び吊下具の拡大図である。
【図７】本考案の多芯筆記具の実施の形態における全ペン先没入状態（非筆記時）を示す縦断面図である。
【図８】図７の多芯筆記具の一つのペン先が突出した状態（筆記時）を示す縦断面図である。
【図９】図７の多芯筆記具の後端の開口部を開口させ、操作体を僅かに引き出した状態を示す側面図である。
【図１０】図７の多芯筆記具における筆記体及び操作体を軸筒内から取り外した状態を示す側面図である。
【図１１】図１０の縦断面図である。
【符号の説明】
【００６５】
Ａ  第１の包装袋
Ａ１  吊下孔
Ｂ  第２の包装袋
Ｂ１  吊下孔
Ｃ  陳列具
Ｃ１  フレーム部
Ｃ２  フック部
Ｃ３  スタンド部
Ｃ４  表示面
Ｃ５  吊下具
１  多芯筆記具
２  軸筒
２１  スプリング収容部
３  前軸
３１  前端孔
４  後軸
４１  窓孔
４２  開口部
４３  係止壁部
４４  隔壁
４５  クリップ
４６  被係合部
５  蓋部
５１  当接壁部
５２  ヒンジ部
５３  係合部
６  筆記体
６１  ペン先（ボールペンチップ）
６２  インキ収容管
７  操作体
７１  操作部
７２  前側突出部
７３  後側突出部
７４  嵌入部
７５  鍔部
８  コイルスプリング
８１  密着巻部
８２  密着巻部
９  スプリング支持部
９１  内孔
９２  保持部
【図１】
0003145663.tif 000003
【図２】
0003145663.tif 000004
【図３】
0003145663.tif 000005
【図４】
0003145663.tif 000006
【図５】
0003145663.tif 000007
【図６】
0003145663.tif 000008
【図７】
0003145663.tif 000009
【図８】
0003145663.tif 000010
【図９】
0003145663.tif 000011
【図１０】
0003145663.tif 000012
【図１１】
0003145663.tif 000013